【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
複数のエネルギ生成装置を含むエネルギ生成システムにおいて集中型と分散型の最大パワーポイントトラッキングの間で選択するための方法であって、前記エネルギ生成装置の各々が、対応する局所的変換器に結合されており、各局所的変換器が前記対応するエネルギ生成装置用の局所的制御器を含んでおり、前記方法が、
前記エネルギ生成装置が準理想的条件下で動作しているか否かを判定すること、
前記エネルギ生成装置が準理想的条件下で動作しているとき前記エネルギ生成システムを集中型最大パワーポイントトラッキング（ＣＭＰＰＴ）モードとすること、及び、
前記エネルギ生成装置が準理想的条件下で動作していないとき前記エネルギ生成システムを分散型最大パワーポイントトラッキング（ＤＭＰＰＴ）モードとすること、
を含む方法。
【請求項２】
請求項１に記載の方法であって、前記システムを前記ＣＭＰＰＴモードとすることが、前記局所的制御器をディスエーブルし且つグローバル制御器をイネーブルすることを含む、方法。
【請求項３】
請求項１に記載の方法であって、前記システムを前記ＤＭＰＰＴモードとすることが、前記局所的制御器をイネーブルし且つグローバル制御器をディスエーブルすることを含む、方法。
【請求項４】
請求項１に記載の方法であって、前記システムが前記ＤＭＰＰＴモードにあるとき、前記エネルギ生成装置の少なくとも一つが陰になっている確率が予め定めたスレッショルドを超えているか否かを判定することを更に含む、方法。
【請求項５】
請求項４に記載の方法であって、前記エネルギ生成装置の少なくとも一つが陰になっている確率が前記予め定めたスレッショルドを超えていると判定されるとき、
少なくとも一つの陰になっている可能性のあるエネルギ生成装置を識別すること、及び、
各識別された陰になっている可能性のあるエネルギ生成装置に対してフル特性スキャンを実施すること、
を更に含む方法。
【請求項６】
請求項５に記載の方法であって、
前記フル特性スキャンに基づいて少なくとも一つの、性能の劣るエネルギ生成装置を識別すること、及び、
各識別された性能の劣るエネルギ生成装置に補正を提供すること、
を更に含む方法。
【請求項７】
請求項１に記載の方法であって、前記エネルギ生成装置が準理想的条件下で動作しているか否かを判定することが、
各エネルギ生成装置に対して、前記エネルギ生成装置の各々に関連する出力パワー値に基づいて前記エネルギ生成装置が陰になっている確率を計算すること、
前記計算した確率の最大値を識別すること、
前記計算した確率の前記最大値をＤＭＰＰＴスレッショルドと比較すること、及び、
前記計算した確率の前記最大値が前記ＤＭＰＰＴスレッショルドより小さいとき、前記エネルギ生成装置が準理想的条件下で動作していると判定すること、
を含む方法。
【請求項８】
請求項７に記載の方法であって、前記システムが前記ＤＭＰＰＴモードにあるとき、前記計算した確率の前記最大値を診断スレッショルドと比較することを更に含む方法。
【請求項９】
請求項８に記載の方法であって、前記計算した確率の前記最大値が前記診断スレッショルドより大きいとき、
（ｉ）計算された前記エネルギ生成装置が陰になっている確率が前記診断スレッショルドより大きいエネルギ生成装置の各々を、陰になっている可能性のあるエネルギ生成装置として識別すること、及び、
（ｉｉ）陰になっている可能性があるものとして識別された各エネルギ生成装置に対してフル特性スキャンを実施すること、
を更に含む方法。
【請求項１０】
請求項９に記載の方法であって、
（ｉ）前記フル特性スキャンに基づいて少なくとも一つの、性能の劣るエネルギ生成装置を識別すること、及び、
（ｉｉ）各識別された性能の劣るエネルギ生成装置に補正を提供すること、
を更に含む方法。
【請求項１１】
請求項１に記載の方法であって、前記エネルギ生成装置が光起電性パネルを含む方法。
【請求項１２】
複数のエネルギ生成装置を含むエネルギ生成システムにおいて集中型と分散型の最大パワーポイントトラッキングの間で選択するための方法であって、前記エネルギ生成装置の各々が、対応する局所的変換器に結合されており、各局所的変換器が前記対応するエネルギ生成装置用の局所的制御器を含んでおり、前記方法が、
前記エネルギ生成装置の各々に対して出力パワー値を計算すること、
各エネルギ生成装置に対して、前記エネルギ生成装置に対する前記出力パワー値に基づいて前記エネルギ生成装置が陰になっている確率を計算すること、
前記計算した確率の最大値を識別すること、
前記計算した確率の前記最大値を分散型最大パワーポイントトラッキング（ＤＭＰＰＴ）スレッショルドと比較すること、
前記計算した確率の前記最大値が前記ＤＭＰＰＴスレッショルドより小さいとき前記エネルギ生成システムを集中型最大パワーポイントトラッキング（ＣＭＰＰＴ）モードとすること、及び、
前記計算した確率の前記最大値が前記ＤＭＰＰＴスレッショルド以上であるとき前記エネルギ生成システムをＤＭＰＰＴモードとすること、
を含む方法。
【請求項１３】
請求項１２に記載の方法であって、前記システムが前記ＤＭＰＰＴモードにあるとき、前記エネルギ生成装置の少なくとも一つが陰になっている確率が予め定めたスレッショルドを超えているか否かを判定することを更に含む、方法。
【請求項１４】
請求項１３に記載の方法であって、前記エネルギ生成装置の少なくとも一つが陰になっている確率が前記予め定めたスレッショルドを超えているか否かを判定することが、前記計算した確率の前記最大値を診断スレッショルドと比較することを含む、方法。
【請求項１５】
請求項１４に記載の方法であって、前記計算した確率の前記最大値が前記診断スレッショルドより大きいとき、
（ｉ）計算された前記エネルギ生成装置が陰になっている確率が前記診断スレッショルドより大きなエネルギ生成装置の各々を、陰になっている可能性のあるエネルギ生成装置として識別すること、
（ｉｉ）各識別された陰になっている可能性のあるエネルギ生成装置に対してフル特性スキャンを実施すること、
（ｉｉｉ）前記フル特性スキャンに基づいて少なくとも一つの、性能の劣るエネルギ生成装置を識別すること、及び、
（ｉｖ）各識別した性能の劣るエネルギ生成装置に補正を提供すること、
を更に含む方法。
【請求項１６】
請求項１２に記載の方法であって、前記エネルギ生成装置が光起電性パネルを含む方法。
【請求項１７】
複数のエネルギ生成装置を含むエネルギ生成システムに対して集中型と分散型の最大パワーポイントトラッキングの間で選択することが可能な中央アレイ制御器であって、前記エネルギ生成装置の各々が、対応する局所的変換器に結合されており、各局所的変換器が前記対応するエネルギ生成装置用の局所的制御器を含む、前記中央アレイ制御器であって、
前記エネルギ生成装置が準理想的条件下で動作しているか否かを判定することが可能な診断モジュール、及び、
前記エネルギ生成装置が準理想的条件下で動作しているとき、前記エネルギ生成システムを集中型最大パワーポイントトラッキング（ＣＭＰＰＴ）モードとし、前記エネルギ生成装置が準理想的条件下で動作していないとき、前記エネルギ生成システムを分散型最大パワーポイントトラッキング（ＤＭＰＰＴ）モードとすることが可能な制御モジュール、
を含む、中央アレイ制御器。
【請求項１８】
請求項１７に記載の中央アレイ制御器であって、前記制御モジュールが、前記局所的制御器をディスエーブルし且つグローバル制御器をイネーブルすることによって、前記システムを前記ＣＭＰＰＴモードとすることが可能である、中央アレイ制御器。
【請求項１９】
請求項１７に記載の中央アレイ制御器であって、前記制御モジュールが、前記局所的制御器をイネーブルし且つグローバル制御器をディスエーブルすることによって、前記システムを前記ＤＭＰＰＴモードとすることが可能である、中央アレイ制御器。
【請求項２０】
請求項１７に記載の中央アレイ制御器であって、前記システムが前記ＤＭＰＰＴモードにあるとき、前記診断モジュールが更に、前記エネルギ生成装置の少なくとも一つが陰になっている確率が予め定めたスレッショルドを超えているか否かを判定することが可能である、中央アレイ制御器。
【請求項２１】
請求項２０に記載の中央アレイ制御器であって、前記エネルギ生成装置の少なくとも一つが陰になっている確率が前記予め定めたスレッショルドを超えているか否かを判定するとき、前記診断モジュールが更に、
（ｉ）少なくとも一つの陰になっている可能性のあるエネルギ生成装置を識別すること、及び、
（ｉｉ）各識別された陰になっている可能性のあるエネルギ生成装置に対してフル特性スキャンを実施すること、
が可能である、中央アレイ制御器。
【請求項２２】
請求項２１に記載の中央アレイ制御器であって、前記診断モジュールが更に、
（ｉ）前記フル特性スキャンに基づいて少なくとも一つの、性能の劣るエネルギ生成装置を識別すること、及び、
（ｉｉ）各識別された性能の劣るエネルギ生成装置に補正を提供すること、
が可能である、中央アレイ制御器。
【請求項２３】
請求項１７に記載の中央アレイ制御器であって、前記エネルギ生成装置が光起電性パネルを含む中央アレイ制御器。
【請求項２４】
エネルギ生成アレイ内の複数のエネルギ生成装置の内の一つに対する局所的変換器を活性化させる方法であって、前記局所的変換器がパワーステージと局所的制御器とを含んでおり、前記方法が、
前記エネルギ生成装置に対する装置電圧を電圧活性化レベルと比較すること、及び、
前記装置電圧が前記電圧活性化レベルを超えるとき前記局所的変換器を自動的に活性化させること、
を含む方法。
【請求項２５】
請求項２４に記載の方法であって、前記局所的変換器を自動的に活性化させることが、前記局所的制御器に対してゼロでない供給電圧を生成することを含む、方法。
【請求項２６】
請求項２４に記載の方法であって、前記局所的変換器を自動的に活性化させることが、前記局所的制御器の少なくとも一つのピンをセットすることを含む、方法。
【請求項２７】
請求項２４に記載の方法であって、前記局所的変換器を自動的に活性化させることが、予め定めた値を前記局所的制御器内のレジスタに書き込むことを含む、方法。
【請求項２８】
請求項２４に記載の方法であって、前記局所的変換器を自動的に活性化させることが、前記局所的変換器に対して活性化手順を実施することを含み、前記活性化手順が、レジスタ初期化、クロック同期、前記アレイ内の前記エネルギ生成装置の少なくともサブセットに対する電圧比較、及び前記アレイ内の前記エネルギ生成装置の少なくともサブセットの同期的活性化、の内の少なくとも一つを含む、方法。
【請求項２９】
請求項２４に記載の方法であって、前記エネルギ生成装置がエネルギ生成装置のストリング（string）内に包含されており、前記局所的変換器を自動的に活性化させることが、パワーステージが前記ストリング内の各エネルギ生成装置において動作状態となるまで、前記パワーステージを所定の変換比で動作させることを含む、方法。
【請求項３０】
請求項２４に記載の方法であって、前記局所的変換器を自動的に活性化させることが、
前記エネルギ生成装置に対する装置電流を活性化電流レベルと比較すること、及び、
前記装置電流が前記活性化電流レベルを超えるとき、前記局所的制御器で前記エネルギ生成装置に対して最大パワーポイントトラッキングを実施すること、
を含む方法。
【請求項３１】
請求項３０に記載の方法であって、
特定した時間期間の間前記装置電流をモニターすることによって前記装置電流が前記活性化電流レベルより下に降下するとき前記局所的変換器を自動的に不活性化させること、及び、
前記装置電流が前記特定した時間期間の間前記活性化電流レベルより下に留まるとき、前記局所的変換器の不活性化を完了すること、
を更に含む方法。
【請求項３２】
請求項２４に記載の方法であって、前記エネルギ生成装置が光起電性パネルを含む方法。
【請求項３３】
エネルギ生成アレイ内の複数のエネルギ生成装置の内の一つに対する局所的変換器を不活性化させる方法であって、前記局所的変換器がパワーステージと局所的制御器とを含んでおり、前記方法が、
前記エネルギ生成装置に対する装置電流を活性化電流レベルと比較すること、及び、
前記装置電流が前記活性化電流レベルより下に降下するとき前記局所的変換器を自動的に不活性化させること、
を含む方法。
【請求項３４】
請求項３３に記載の方法であって、前記局所的変換器を自動的に不活性化させることが、前記局所的制御器に対してゼロの供給電圧を生成することを含む、方法。
【請求項３５】
請求項３３に記載の方法であって、前記局所的変換器を自動的に不活性化させることが、前記局所的制御器の少なくとも一つのピンをセットすることを含む、方法。
【請求項３６】
請求項３３に記載の方法であって、前記局所的変換器を自動的に不活性化させることが、予め定めた値を前記局所的制御器内のレジスタに書き込むことを含む、方法。
【請求項３７】
請求項３３に記載の方法であって、前記局所的変換器を自動的に不活性化させることが、前記局所的変換器に対して不活性化手順を実施することを含み、前記不活性化手順が、バックアップユニットとの同期と前記アレイ内のエネルギ生成装置の少なくともサブセットの同期的不活性化との内の少なくとも一つを含む、方法。
【請求項３８】
請求項３３に記載の方法であって、前記局所的変換器を自動的に不活性化させることが、
特定した時間期間の間前記装置電流をモニターすること、及び、
前記特定した時間期間の間前記装置電流が前記活性化電流レベルより下に留まるとき、前記局所的変換器の不活性化を完了すること、
を含む方法。
【請求項３９】
請求項３３に記載の方法であって、前記エネルギ生成装置が光起電性パネルを含む方法。
【請求項４０】
エネルギ生成アレイ内の複数のエネルギ生成装置の内の一つに対する局所的変換器を活性化及び不活性化するためのシステムであって、
前記エネルギ生成装置に対して最大パワーポイントトラッキングを実施することが可能であり、且つ前記局所的変換器のパワーステージをターンオン及びオフさせることが可能な局所的制御器、及び、
前記局所的制御器に結合されるアクチベーターであって、前記局所的制御器を自動的に活性化及び不活性化させることが可能な前記アクチベーター、
を含む、システム。
【請求項４１】
請求項４０に記載のシステムであって、前記アクチベーターが、前記局所的制御器に対する供給電圧を生成することが可能なパワーサプライを含む、システム。
【請求項４２】
請求項４１に記載のシステムであって、前記エネルギ生成装置に対する装置電圧が電圧活性化レベルを超えるとき、前記アクチベーターが、前記パワーサプライでゼロでない供給電圧を生成することによって前記局所的制御器を自動的に活性化させることが可能である、システム。
【請求項４３】
請求項４２に記載のシステムであって、前記エネルギ生成装置に対する装置電流が活性化電流レベルより下に降下するとき、前記アクチベーターが、前記パワーサプライでゼロの供給電圧を生成することによって前記局所的制御器を自動的に不活性化させることが可能である、システム。
【請求項４４】
請求項４１に記載のシステムであって、前記パワーサプライがシャットダウンノードを含み、前記パワーサプライが、特定した電圧より前記シャットダウンノードにおける電圧レベルが大きいときゼロでない供給電圧を生成することが可能であり、且つ前記シャットダウンノードにおける前記電圧レベルが前記特定した電圧以下であるときゼロの供給電圧を生成することが可能である、システム。
【請求項４５】
請求項４４に記載のシステムであって、
前記パワーサプライが、入力ノードと出力ノードとを更に含み、
前記アクチベーターが、第１抵抗と、第２抵抗と、第３抵抗と、ダイオードとを更に含み、
前記第１及び第２抵抗が前記入力ノードと接地との間に直列に結合されており、前記第３抵抗及び前記ダイオードが前記出力ノードと前記第１及び第２抵抗が共に結合されているノードとの間に直列に結合されており、且つ前記シャットダウンノードが前記第１及び第２抵抗が共に結合されている前記ノードに結合されている、
システム。
【請求項４６】
請求項４０に記載のシステムであって、前記エネルギ生成装置が光起電性パネルを含むシステム。